(57)【要約】  端末の要求をエージェントがリダイレクトする方法及びシステムが提供される。当該方法は、まず、端末において、サービスごとに、統一サービスアドレスをプリセットし、端末からサービスアクセス要求を送信し、プロキシゲートウェイが、端末ユーザーのサービス予約情報をサーチし、プロキシゲートウェイが、統一サービスアドレスに従って、端末の要求するサービスのタイプを判断し、且つ対応するサービスサーバのアドレスをサーチし、プロキシゲートウェイが、サービスアクセス要求を、サーチされたサービスサーバに送信し、サービスサーバが、プロキシゲートウェイを経由して、端末にサービスアクセス応答を返送する。本発明は、端末において統一サービスアドレスをプリセットするために、複数のサービスサーバが存在する場合、適するサービスサーバを選択して、サービスアクセス要求を、指定したサービスサーバにリダイレクトすることができる。それと同時に、本発明は、端末に、統一サービスアドレスをプリセットして、端末における煩雑なサーバーアドレスの配置過程を省略することができ、ユーザーは使用しやすくなった。【選択図】図１
2008522464.tif 000002
【特許請求の範囲】
【請求項１】
端末の要求をエージェントがリダイレクトする方法であって、
端末において、サービスごとに、統一サービスアドレスをプリセットする段階と、
端末からサービスアクセス要求を送信する段階と、
プロキシゲートウェイが、端末ユーザーのサービス予約情報をサーチする段階と、
プロキシゲートウェイが、統一サービスアドレスに従って、端末の要求するサービスのタイプを判断し、且つ対応するサービスサーバのアドレスをサーチする段階と、
プロキシゲートウェイが、サービスアクセス要求を、サーチされたサービスサーバに送信する段階と、
サービスサーバが、プロキシゲートウェイを経由して、端末にサービスアクセス応答を返送する段階を備えることを特徴とする端末の要求をエージェントがリダイレクトする方法。
【請求項２】
前記端末から送信したアクセス要求の中には、サービスの統一サービスアドレス、ユーザー番号及び端末の現在のアクセスアドレスが含まれていることを特徴とする請求項1記載の端末の要求をエージェントがリダイレクトする方法。
【請求項３】
前記サービスサーバの前記アドレスのサーチには、サービスのタイプに応じたアドレスのサーチ方式を選択すること、前記方式に基づいてサービスサーバのアドレスをサーチすることが含まれていることを特徴とする請求項１記載の端末の要求をエージェントがリダイレクトする方法。
【請求項４】
前記アドレスのサーチ方式には、最も近くにあるサービスサーバにアクセスする方式と、ホームサービスサーバーにアクセスする方式が含まれていることを特徴とする請求項2記載の、端末の要求をエージェントがリダイレクトする方法。
【請求項５】
アドレスのサーチ方式が最も近くにあるサービスサーバにアクセスする方式である場合、ユーザーの現在のアクセスアドレス情報を元に、最も近くにあるサービスサーバのアドレスをサーチし、且つアドレスを取得することを特徴とする請求項3記載の端末の要求をエージェントがリダイレクトする方法。
【請求項６】
アドレスのサーチ方式がホームサービスサーバーにアクセスする方式である場合、ユーザー番号とサービスのタイプを元に、ユーザーの属するサービスサーバのアドレスをサーチすることを特徴とする請求項3記載の端末の要求をエージェントがリダイレクトする方法。
【請求項７】
端末の要求をエージェントがリダイレクトするシステムは、移動通信ネットワークに位置しているＮ個のサービスサーバとユーザーデータ管理システムを含み、前記サービスサーバは特定のサービスを提供するのに用いられ、前記ユーザーデータ管理システムはユーザー番号及び対応するサービス予約情報を記憶するのに用いられる、端末の要求をエージェントがリダイレクトするシステムであって、
更に、前記システムは、プロキシゲートウェイとアドレスサーチサーバを含み、前記プロキシゲートウェイは、それぞれ、端末、前記サービスサーバ、前記ユーザーデータ管理システム及び前記アドレスサーチサーバと接続されるとともに、前記プロキシゲートウェイは、端末からのサービス予約情報及びサービスサーバのアドレスをサーチすることを要求し、且つサービスアクセス要求及び応答を転送するのに用いられ、前記アドレスサーチサーバは、端末の現在のサービス要求に対応するサービスサーバのアドレスをサーチするのに用いられることを特徴とする端末の要求をエージェントがリダイレクトするシステム。
【請求項８】
前記アドレスサーチサーバは、前記プロキシゲートウェイの送信したアドレスサーチ要求を有する統一サービスアドレスを元に、端末の要求したサービスのタイプを判断し、該サービスのタイプに従って、アドレスのサーチ方式を選択し、最後に、前記アドレスサーチサーバは、該サーチ方式を元に対応するサービスサーバのアドレスをサーチすることを特徴とする請求項7記載の端末の要求をエージェントがリダイレクトするシステム。
【請求項９】
前記アドレスのサーチ方式が、最も近くにあるサービスサーバにアクセスする方式である場合、前記アドレスサーチサーバは、ユーザーの現在のアクセスアドレス情報に従って、最も近くにあるサービスサーバのアドレスをサーチし、且つアドレスを取得することを特徴とする請求項8記載の端末の要求をエージェントがリダイレクトするシステム。
【請求項１０】
前記アドレスのサーチ方式が、ホームサービスサーバーにアクセスする方式である場合、前記アドレスサーチサーバは、ユーザー番号とサービスのタイプに従って、ユーザーの属するサービスサーバのアドレスをサーチすることを特徴とする請求項8記載の端末の要求をエージェントがリダイレクトするシステム。
【発明の詳細な説明】
【技術分野】
【０００１】
本発明は、移動通信分野に関する。特に、カスタマイズされた移動端末のサービス要求をエージェントがリダイレクトする方法及びシステムに関する。
【背景技術】
【０００２】
現在、移動通信ネットワークは、様々なサービスを提供することができる。そして、ユーザーが便利に使用できるよう、移動端末は、サービスを予めカスタマイズすることができる。現在、多くの端末提供者は、本種類の移動端末を提供している。
【０００３】
通常のネットワークにおける各種サービスは、各サービスサーバにより提供される。また、移動端末においてサービスのプリセットを実現するために、カスタマイズされた移動端末において、サービスサーバのアドレスをプリセットする必要がある。通常、カスタマイズされた移動端末において、サービスごとに、一つのサービスサーバのアドレスしかプリセットすることができない。また、一旦プリセットされた後では修正はできない。
【０００４】
しかしながら、ネットワークの規模が拡大するに従って、サービスを、複数のサービスサーバが同時に提供するようになった。各サーバーはそれぞれアドレスを有するので、端末においてサービスサーバのアドレスをプリセットする方法、及び特定のサービスサーバを選択する方法を見出すことが早急に解決されるべき課題となっている。
【発明の開示】
【発明が解決しようとする課題】
【０００５】
本発明は、カスタマイズされた移動端末のアドレスをプリセットし、及び特定のサービスサーバを選択する際に生じる従来技術の問題点を解決する。本発明は、端末の要求をエージェントがリダイレクトする方法及びシステムを提供することにある。
【課題を解決するための手段】
【０００６】
本発明は、端末の要求をエージェントがリダイレクトする方法であって、端末において、各サービスに、統一サービスアドレスをプリセットする段階と、端末がサービスアクセス要求を送信する段階と、プロキシゲートウェイが、端末ユーザーのサービス予約情報をサーチする段階と、プロキシゲートウェイが、統一サービスアドレスに従って、端末から要求されたサービスのタイプを判断し、且つ対応するサービスサーバのアドレスをサーチする段階と、プロキシゲートウェイが、サービスアクセス要求を、サーチされたサービスサーバへ送信する段階と、サービスサーバが、プロキシゲートウェイを経由して、端末にサービスアクセス応答を返送する段階を含む。
上記サービスサーバのアドレスのサーチには、サービスのタイプに応じたアドレスのサーチ方式を選択すること、上記方式に基づいて、サービスサーバのアドレスをサーチすることが含まれる。
【０００７】
本発明において、端末の要求をエージェントがリダイレクトするシステムであって、該システムは移動通信ネットワークに位置しているＮ個のサービスサーバとユーザーデータ管理システムを含み、該サービスサーバは特定のサービスを提供するのに用いられ、また、該ユーザーデータ管理システムはユーザー番号及び対応するサービス予約情報を記憶するのに用いられることを特徴とする。さらに、本発明に係るシステムは、プロキシゲートウェイとアドレスサーチサーバを含む。上記プロキシゲートウェイは、それぞれ、端末、上記サービスサーバ、上記ユーザーデータ管理システム及び上記アドレスサーチサーバと接続され、上記プロキシゲートウェイは、端末からのサービス予約情報及びサービスサーバのアドレスをサーチする要求を送信するのに用いられ、且つサービスアクセス要求及び応答を転送するのに用いられる。上記アドレスサーチサーバは、端末の現在のサービス要求に対応するサービスサーバのアドレスをサーチするのに用いられる。
【０００８】
本発明は、端末において統一サービスアドレスをプリセットし、プロキシゲートウェイとサービスサーバのサーチサーバーを導入することで、複数のサービスサーバが存在する場合には、適切なサービスサーバを選択して、サービスアクセス要求を、指定したサービスサーバにリダイレクトすることができる。それと同時に、端末に統一サービスアドレスをプリセットすることで、端末での煩雑なサーバーアドレスの配置過程を省略することができ、ユーザーは、使用しやすくなった。
【発明を実施するための最良の形態】
【０００９】
以下、図面及び実施例を併せて参照することにより、本発明に係る技術について詳しく説明する。
図1に示すように、本発明に係る方法では、まず、端末において、サービスごとに、それぞれ統一サービスアドレスをプリセットする。端末からサービスアクセス要求を送信する際、当該サービスアクセス要求の中には、あるサービスに係る統一サービスアドレス、端末のユーザー番号（例えば、MSISDN番号）、及び端末の現在のアクセスアドレス（例えば、現在のIPアドレス）が含まれている。ユーザーのサービスアクセス要求が送信されると、当該端末ユーザーのサービス予約情報がサーチされる。即ち、ユーザーがアクセスを要求するサービスを予約したかどうか判定する。ユーザーが当該サービスを予約すると、サービスアクセス要求に含まれるサービスアドレスに基づいて、端末の要求したサービスのタイプが判断される。その後、当該サービスに対応するサービスサーバのアドレスがサーチされる。端末が対応するサービスのサーバーアドレスを取得すると、サービスアクセス要求を当該サービスサーバに送信し、サービスサーバが、サービスアクセス応答を端末に返送する。
【００１０】
図2は、端末の要求のリダイレクトを実現するシステムの構造を示している。当該システムには、移動通信ネットワーク中に位置しているＮ個のサービスサーバ、ユーザーデータ管理システム、プロキシゲートウェイ及びアドレスサーチサーバが含まれている。サービスサーバは、主に特定のサービスを提供する役割を有し、ユーザーデータ管理システムは、ユーザー番号及びそれに対応するサービス予約情報を記憶する役割を有する。ユーザー管理システムは、プロキシゲートウェイからのサーチ要求を受付けてから、ユーザー番号に対応するサービス予約情報を、プロキシゲートウェイに返送する。プロキシゲートウェイは、サービスサーバ、ユーザーデータ管理システム、アドレスサーチサーバ及び端末とそれぞれ接続される。プロキシゲートウェイは、ユーザーデータ管理システムに、ユーザーのサービス予約情報をサーチし、アドレスサーチサーバにサービスサーバのアドレスをサーチすることを要求する。また、プロキシゲートウェイは、サービスサーバのアドレスサーチ結果をキャッシュする役割を有するとともに、端末からのサービスアクセス要求及びサービスサーバから返送したサービスアクセス応答を送受信する役割を有する。アドレスサーチサーバは、主に、プロキシゲートウェイからの要求に従って、端末の現在のサービス要求と対応するサービスサーバのアドレスをサーチする役割を有する。なお、端末において、各サービスには統一サービスアドレスが含まれている。
【００１１】
以下に、具体的な実施例を挙げる。図3で示すように、統一サービスアドレスがプリセットされた端末は、プロキシゲートウェイにサービスアクセス要求を送信する。上記サービスアクセス要求の中には、統一サービスアドレス、ユーザー番号（例えばMSISDN）、及び現在アクセスされているアドレス（例えば、現在端末のIPアドレス）などの情報が含まれている。プロキシゲートウェイは、ユーザーデータ管理システムに要求を送信して、ユーザー番号に対応するサービス予約情報をサーチすることを要求する。その要求メッセージの中にユーザー番号が含まれている。ユーザーデータ管理システムは、ユーザー番号に対応するサービス予約情報をプロキシゲートウェイに返送する。プロキシゲートウェイは、当該サービス予約情報に従って、当該端末がアクセスを要求する業務を既に予約したかどうかを判断する。
【００１２】
その後、プロキシゲートウェイがサービスアクセス要求内の統一サービスアドレスに従って、端末の要求したサービスのタイプを判断する。そして、プロキシゲートウェイは、ユーザー番号とサービスタイプに従って、対応するサービスサーバのアドレスをローカルでサーチする。対応するサービスサーバのアドレスがローカルでサーチできなかった場合、プロキシゲートウェイは、対応するサービスサーバのアドレスをサーチすることをアドレスサーチサーバに要求する。当該要求には、サービスタイプ、統一サービスアドレス、ユーザー番号及び現在アクセスされているアドレス情報が含まれている。アドレスサーチサーバは、サービスタイプに応じて、アドレスをサーチする方式を選択する。本発明において、最も近くにあるサービスサーバにアクセスする方式とユーザーの属するサービスサーバー（ホームサービスサーバー）にアクセスする方式である二つのサーチ方式を提供する。その後、アドレスのサーチ方式に基づいて、サービスサーバのアドレスをサーチする。アドレスのサーチ方式が最も近くにあるサービスサーバにアクセスする方式である場合、アドレスサーチサーバは、ユーザーの現在のアクセスアドレス情報を元に、最も近くにあるサービスサーバのアドレスをサーチし、且つアドレスを取得する。アドレスのサーチ方式がユーザーの属するサービスサーバー（ホームサービスサーバー）にアクセスする方式である場合、アドレスサーチサーバは、ユーザー番号とサービスタイプを元に、ユーザーが属しているサービスサーバのアドレスをサーチする。アドレスサーチサーバは、取得されたサービスサーバのアドレスをプロキシゲートウェイに返送し、プロキシゲートウェイが、当該サーチ結果をキャッシュする。プロキシゲートウェイが対応するサービスサーバにサービスアクセス要求を送信した後、サービスサーバがプロキシゲートウェイにサービスアクセス応答を返送する。そして、プロキシゲートウェイが、返答を端末に返送する。
【００１３】
プロキシゲートウェイが、対応するサービスサーバのアドレスサーチをローカルで行なった場合、サービスアクセス要求を対応するサービスサーバに直接送信した後、サービスサーバがプロキシゲートウェイにサービスアクセス応答を返送する。そして、プロキシゲートウェイが端末にサービスアクセス応答を返送する。
【００１４】
最後に、上記実施例は本発明に係る技術を説明するものであり、本発明を限定するものではない。上記具体的な実施形態を用いて、本発明について説明したが、当業者であれば、当該技術分野における技術常識及び本明細書の記載に基づき、本発明の技術形態の各種態様の修正或いは交替を行うことができる。これらは、本発明の技術形態の要旨及び範囲から逸脱せず、本発明の技術的範囲に属することは明白である。
【図面の簡単な説明】
【００１５】
【図１】図1は、本発明に係る方法のフローチャートである。
【図２】図2は、本発明に係るシステムの構造を示す図面である。
【図３】図3は、本発明に係る一つの実施例を示す図面である。
【図１】
2008522464.tif 000003
【図２】
2008522464.tif 000004
【図３】
2008522464.tif 000005
【国際調査報告】
2008522464.tif 000006
2008522464.tif 000007
2008522464.tif 000008
2008522464.tif 000009
2008522464.tif 000010
2008522464.tif 000011